(57)【特許請求の範囲】
【請求項１】
多段ケージ（１、２１）をケージ室（２、２２）内に配置した陽圧鶏舎において、鶏舎天井裏ダクト（６、２６）の両妻面又は両側面（７、２７）に設けた複数のファン（８、２８）によって天井裏ダクト内に取入れられた空気を、多段ケージ（１、２１）の上段ケージ（１Ａ、２１Ａ）には天井（５、２５）に設けられた入気口（１０、３０）から、多段ケージの下段ケージ（１Ｂ、２１Ｂ）には、ケージ室（２、２２）の長手方向壁面に沿って天井（５、２５）から下段ケージ（１Ｂ、２１Ｂ）の上部付近の高さまで下方に延びて設けられた通風路（１２、３２）下部の入気口（１３、３３）から供給することを特徴とする多段ケージ陽圧鶏舎。
【請求項２】
前記通風路（１２）が、ケージ室（２）の両側壁（１１）に沿って設けられることを特徴とする請求項１記載の多段ケージ陽圧鶏舎。
【請求項３】
前記通風路（３２）が、ケージ室を複数の室（２２）に仕切る長手方向仕切り壁（２３）の両側に沿って設けられることを特徴とする請求項１記載の多段ケージ陽圧鶏舎。
【請求項４】
空気取入れファン（８）が鶏舎天井裏ダクト（６）の両側面（７）に設けられ、ケージ室（２）の両側壁（１１）に沿って設けられた通風路（１２）の上部延長壁が、天井裏ダクト（６）内に突出したじゃま板（１４）を形成することを特徴とする請求項２記載の多段ケージ陽圧鶏舎。
【発明の詳細な説明】
【０００１】
【産業上の利用分野】
本発明は陽圧鶏舎、特に多段ケージを収容する陽圧鶏舎に関する。
【０００２】
【従来の技術】
鶏舎の形式を、鶏舎内の圧力によって大別すると陽圧式と陰圧式とがあり、前者は、例えば鶏舎天井裏の両妻面に設けられた空気吸入ファンによって鶏舎内に空気を導入し、自然に外部に排出するので、鶏舎内の圧力は外気圧よりわずかに高く保持される。これに対し後者は、例えば鶏舎の側面に設けられた空気取入れ口から外気を自然に導入し、排気ファンによって強制的に外部へ排気するので、鶏舎内の圧力は外気圧よりわずかに低く保たれる。
【０００３】
従来の陽圧鶏舎の場合、図３に示すように、天井裏ダクト４６の両妻面に設けられた複数の空気取入れファン４８によって天井裏ダクト４６内に取入れられた空気は、天井４５に長手方向に沿って設けられたスリット状の入気口５０から、複数列のケージ４１が配置されたケージ室４２内に吹込まれ、ケージ４１内のトリに新鮮な空気を供給し、また鶏舎内の温度も調節して、酸素の少ない温空気である廃空気となって、天井裏ダクト４６内に設けられた排気路５５を通り、屋根４４上の開口５８から大気中に放出されていた。
【０００４】
しかしながら最近では、７段、８段にも達する多段ケージを採用する鶏舎も多くなり、天井に設けられた入気口から吹込むだけでは、ケージの下段にまで十分な新鮮空気を供給して換気することが困難になってきた。特に、ケージ高が高くなると、上段ケージを管理するための通路である穴開き板製の管理用デッキ４９を、ケージの中間高さで、隣り合ったケージ間及びケージとケージ室側壁間に設けることが多くなり、天井入気口５０からの空気が管理用デッキ４９に妨げられて、下段ケージに一層到達しにくくなるという問題が生じてきた。
【０００５】
【発明が解決しようとする課題】
本発明は、上記のような多段ケージ陽圧鶏舎における不十分な換気を改善し、下段ケージにまで新鮮な空気を供給して十分に換気できる陽圧鶏舎を提供することを目的としている。
【０００６】
【課題を解決するための手段】
このため本発明による多段ケージ陽圧鶏舎は、鶏舎天井裏ダクトの両妻面又は両側面に設けた複数のファンによって天井裏ダクト内に取入れられた空気を、多段ケージの上段ケージには天井に設けられた入気口から、多段ケージの下段ケージには、多段ケージが配置されたケージ室の長手方向壁面に沿って天井から下段ケージの上部付近の高さまで下方に延びて設けられた通風路下部の入気口から供給することを特徴としている。
【０００７】
本発明の陽圧鶏舎の好ましい実施態様では、前記通風路が、ケージ室の両側壁に沿って設けられ、或いはケージ室を複数の室に仕切る長手方向仕切り壁の両側に沿って設けられている。
前者の実施態様では、空気取入れファンが鶏舎天井裏ダクトの両側面に設けられ、ケージ室の両側壁に沿って設けられた通風路の上部延長壁が、天井裏ダクト内に突出したじゃま板を形成するのが一層好ましい。
【０００８】
【発明の作用】
本発明による多段ケージ陽圧鶏舎は上記のような構成を有し、天井裏ダクト内に取入れられた空気が、多段ケージの上段ケージと下段ケージとにそれぞれ別々の入気口から吹込まれるので、７段、８段のような多段ケージの下段ケージであっても、また管理用デッキが多段ケージの中間に設けられていても、全ケージに対して十分な新鮮空気を供給して換気し、鶏舎内温度を適温に保持することができる。
【０００９】
【実施例】
図１の鶏舎内には、それぞれ２列の多段ケージ（図１では８段）１が配置された長手方向に長い二つのケージ室２が設けられており、ケージ室間は仕切り壁３で仕切られている。屋根４と天井５の間の天井裏ダクト６の側壁７には、多数の空気吸入ファン８が長手方向に沿って取付けられ、外の新鮮な空気を天井裏ダクト６内に取入れている。
【００１０】
８段の多段ケージ１は、ケージ列１間及びケージ列１とケージ室２の側壁１１又は仕切り壁３の間に、下から４段目のケージの上部に相当する高さに設けられた穴開き板製の管理用デッキ９によって、上段ケージ１Ａと下段ケージ１Ｂに分けられ、本発明の陽圧鶏舎では、天井裏ダクト６内に取入れられた空気は、以下に述べるように別々の入気口から上段ケージ１Ａ及び下段ケージ１Ｂに供給される。
【００１１】
上段ケージ１Ａに対しては、天井裏ダクト６内の空気は、従来技術とほぼ同様に、天井５に長手方向に沿って設けられたスリット状の入気口１０から吹込まれて、上段ケージ１Ａを通過しながら、そこに収容されたトリに新鮮な空気を供給し、鶏舎内の温度を適温に保持する。
【００１２】
下段ケージ１Ｂに対しては、天井裏ダクト６内の空気は、ケージ室２の長手方向の両側壁１１に沿って、天井５から下段ケージ１Ｂの上部付近の高さまで下方に延びて設けられた通風路１２下部のスリット状の入気口１３から吹込まれる。図示の実施態様では、通風路１２は、その下部に上向きと下向きの二つの入気口を備えている。図に見るように、天井裏ダクト６に開口する通風路１２の入口はファン８に近いので、通風路１２内の空気は、ファン８から取入れられて棟方向に向かう空気流に吸引されて通風路内が負圧になる傾向が生ずる。これを防止して通風路内にも圧力がかかるようにするため、通風路１２の上部延長壁が、天井裏ダクト６内に突出したじゃま板１４を形成するのが好ましい。
【００１３】
こうして上段ケージ１Ａ及び下段ケージ１Ｂにそれぞれ別々に供給された空気は、トリの呼吸によって酸素が減少して二酸化炭素が増加し、トリの体温で温度も上昇して廃空気として外部に排出されるが、排出時にもまた、屋根４から二つのケージ室２の間の床まで延びる長手方向仕切り壁３の両側に沿って設けられた、排気路１５内に別々に取入れられる。すなわち上段ケージ１Ａからの廃空気は、排気路１５のケージ１より高い位置に設けられた排気口１６から、下段ケージ１Ｂからの廃空気は、排気路１５の管理用デッキ９の直ぐ下の位置に設けられた排気口１７から排気路１５内に取入れられ、屋根４の開口１８から大気中に放出される。
入気口１０、１３及び排気口１６、１７に適当な調整板やカーテンを取付けることによって、入気口、排気口の大きさ向きを変えることができるので、空気の流量、流れ方向を調整できる。
【００１４】
図示例では、天井裏ダクト６の両側壁７にファン８を設けることによって、鶏舎の軒高を低くできる利点があるが、従来どおり天井裏ダクト６の両妻面に複数個のファンを設けた陽圧鶏舎においても、本実施態様の通風路１２を適用することが可能である。この場合、じゃま板１４は設置不要である。
また仕切り壁３、排気路１５を取払って１棟１室形式とし、廃空気を、棟下の天井に長手方向に沿って設けられた排気口を通って天井裏の排気路に取入れ、図１と同様に屋根の開口から大気中に放出することもできる。この場合、下段ケージからの廃空気は、穴開き板製の管理用デッキの穴を通って、上段ケージからの廃空気とともに排気口内に取込まれる。
【００１５】
図１の実施態様とは異なる実施態様を示す図２の鶏舎内には、それぞれ２列の多段（８段）ケージ２１が配置された長手方向に長い二つのケージ室２２が設けられており、ケージ室２２間は仕切り壁２３で仕切られている。屋根２４と天井２５の間の天井裏ダクト２６の側壁２７には、多数の空気取入れファン２８が長手方向に沿って取付けられ、外の新鮮な空気を天井裏ダクト２６内に取入れている。
【００１６】
８段のケージ２１は、図１と同様に、管理用デッキ２９によってそれぞれ４段のケージからなる上段ケージ２１Ａ及び下段ケージ２１Ｂに分けられる。この実施態様では、上段ケージ２１Ａに対しては、天井裏ダクト２６内の空気は図１と同様に、天井２５に長手方向に沿って設けられたスリット状の入気口３０から吹込まれる。
下段ケージ２１Ｂに対しては、天井裏ダクト２６内の空気は、屋根２４の棟から二つのケージ室２２の間の床まで延びる長手方向の仕切り壁２３の両側に沿って設けられた、通風路３２下部で下段ケージ２１Ｂの上部付近の高さにあるスリット状の入気口３３から吹込まれる。図示の実施態様では、図１におけると同様、通風路３２は、その下部に上向きと下向きの二つの入気口を備えている。
【００１７】
こうして上段ケージ２１Ａ及び下段ケージ２１Ｂに別々に供給された空気は、廃空気として外部に排出されるが、排出時もまた別々の排気路から大気中に放出される。すなわち二つの排気路３５Ａ及び３５Ｂは、ケージ室２２の長手方向の側壁３１に沿って側壁の上部と下部に設けられ、排気路３５Ａの排気口３６は側壁３１のケージ頂部付近の高さに開口し、排気路３５Ｂの排気口３７は側壁の管理用デッキ２９の直ぐ下付近の高さに開口して、鶏舎内の廃空気をそれぞれ排気路３５Ａ及び３５Ｂ内に導入して下向きの開口から大気中に放出する。
【００１８】
入気口３０、３３及び排気口３６、３７が、適当な調整板やカーテンを取付けることによって空気の流量、流れ方向を調整できることは、図１の場合と同様である。
図２においてＲで示したのは、仕切り壁２３によって仕切られた二つのケージ室２２を、それぞれ独立した１棟１室式の２棟の鶏舎とした場合の仮想屋根であり、そのような場合には、仕切り壁２３は、互いに隔てられた２棟の鶏舎の二つの側壁で置き換えられる。この実施態様では、通風路３２及び排気路３５は、変更を加えることなくそのまま適用できる。
【００１９】
【発明の効果】
本発明による多段ケージ陽圧鶏舎は、これまでに述べたような構成及び作用を有するので、下記のような本発明特有の効果を奏する。
上段から下段まで十分な換気が行われにくい多段ケージであっても、上段ケージ用と下段ケージ用と別々の通風路、入気口を設けることによって、鶏舎内を万遍なく換気し、トリの飼育環境を著しく改善できる。
従来式の天井裏ダクトの両妻面にファンを設けた鶏舎にも適用できるなど、広い応用範囲をもつ利点がある。
【図面の簡単な説明】
【図１】本発明による多段ケージ陽圧鶏舎の一実施態様を示す横垂直断面図。
【図２】本発明による多段ケージ陽圧鶏舎の他の実施態様を示す横垂直断面図。
【図３】従来技術による陽圧鶏舎の一例を示す横垂直断面図。
【符号の説明】
１、２１  多段ケージ
４１  ケージ
２、２２、４２  ケージ室
３、２３、４３  仕切り壁
４、２４、４４  屋根
５、２５、４５  天井
６、２６、４６  天井裏ダクト
７、２７  天井裏ダクトの側壁
８、２８、４８  空気取入れファン
９、２９、４９  管理用デッキ
１０、３０、５０  天井の入気口
１１、３１、５１  ケージ（鶏舎）の側壁
１２、３２  通風路
１３、３３  通風路下部の入気口
１４  通風路１２のじゃま板
１５、３５Ａ、３５Ｂ、５５  排気路
１６、１７  排気路１５の排気口
３６、３７  排気路３５Ａ、３５Ｂの排気口
１８、５８  屋根の放出開口
【図１】
0003614506.tif 000002
【図２】
0003614506.tif 000003
【図３】
0003614506.tif 000004